(57)【要約】【課題】  装着した状態では通常の取り外し操作では外れ難い玉の柄用口栓を提供する点にある。【解決手段】  内向き摩擦保持部５Ｄを外向き摩擦保持部１Ａに圧接させ雌ネジ部５Ｅを雄ネジ部１Ｂに螺合させた状態で、内向き摩擦保持部５Ｄの外向き摩擦保持部１Ａに対する相対回転、及び、雌ネジ部５Ｅの雄ネジ部１Ｂに対する相対回転を、手指で摘んだ人為操作力では行わせることができない締まり嵌合状態に設定する。内向き摩擦保持部５Ｄと雌ネジ部５Ｅとを加熱膨張状態に切り換えることによって、内向き摩擦保持部５Ｄの外向き摩擦保持部１Ａに対する相対回転、及び、雌ネジ部５Ｅの雄ネジ部１Ｂに対する相対回転を、人為操作力で行うことができるように、摩擦保持部５Ｄ，１Ａ同士とネジ部５Ｅ，１Ｂ同士での嵌合状態を設定してある。【選択図】        図２
2007053949.tif 000002
【特許請求の範囲】
【請求項１】
一番節の先端外周面に節軸線方向に沿って形成した外向き摩擦保持部と雄ネジ部とに対して、前記外向き摩擦保持部に接触する内向き摩擦保持部と前記雄ネジ部のネジに螺合する雌ネジ部とを形成し、前記内向き摩擦保持部を前記外向き摩擦保持部に圧接させ前記雌ネジ部を雄ネジ部に螺合させた状態で、前記内向き摩擦保持部の前記外向き摩擦保持部に対する相対回転、及び、前記雌ネジ部の前記雄ネジ部に対する相対回転を、手指で摘んだ人為操作力では行わせることができない締まり嵌合状態に設定するとともに、前記内向き摩擦保持部と前記雌ネジ部とを加熱膨張状態に切り換えることによって、前記内向き摩擦保持部の前記外向き摩擦保持部に対する相対回転、及び、前記雌ネジ部の前記雄ネジ部に対する相対回転を、前記人為操作力で行うことができるように、前記摩擦保持部同士とネジ部同士での嵌合状態を設定してある玉の柄の口栓。
【請求項２】
外周面に、元節の先端部を内嵌保持するための元節用嵌合部と、前記元節用嵌合部より節尻側に小径の基端部とを形成するとともに、内周面に、前記内向き摩擦保持部と前記雌ネジ部とを形成し、前記雌ネジ部を前記元節用嵌合部より軸芯方向において節尻側に形成してある請求項1記載の玉の柄の口栓。
【請求項３】
前記内向き摩擦保持部の内面径と外向き摩擦保持部の外面径を、締まり嵌め状態を現出するに必要な嵌合公差を持って形成してある請求項1記載の玉の柄の口栓。
【請求項４】
前記外向き摩擦保持部と前記内向き摩擦保持部とを、先端側程小径となるテーパ面に形成してある請求項１〜３のうちのいずれか一つに記載の玉の柄の口栓。
【請求項５】
請求項１〜４のうちのいずれか一つに記載の口栓を取り付ける一番節、中節、元節を備えた振出式の玉の柄。
【発明の詳細な説明】
【技術分野】
【０００１】
本発明は、先端に釣り上げた魚を海面より掬い取るタモ網を取り付けてある玉の柄、及び、その玉の柄の一番節に装着される口栓に関する。
【背景技術】
【０００２】
この種の玉の柄は、一番節を含む複数本の節を振出節として構成したものであり、一番節の先端を保護し節内への異物の侵入を阻止すべく口栓を備えているが、この口栓を一番節の先端にネジ止め固定する構成を採っていた（特許文献１参照）。
【０００３】
【特許文献１】特開２００４−１２９５３２号公報（段落番号〔００１１〕、図１）
【発明の開示】
【発明が解決しようとする課題】
【０００４】
上記したように、ネジ止め固定する構成では、タモ網を取り付けてない状態では、ネジが緩みを生ずると口栓が一番節から外れることがある。したがって、外れを防止するために口栓を一番節に接着固定することも行っていたが、玉の柄が振出式の節体で構成されているので、一番節を二番節の節尻開口から抜き出すことができず、玉の柄を水洗いする等のメインテナンス時に難儀することもあり、接着固定する方策は好ましいものではなかった。
【０００５】
本発明の目的は、口栓の脱着を可能としながら、更に、脱着操作時の操作に工夫を加えることによって、外れにくい口栓及びそのような口栓を備えた玉の柄を提供する点にある。
【課題を解決するための手段】
【０００６】
〔構成〕
請求項１に係る発明の特徴構成は、一番節の先端外周面に節軸線方向に沿って形成した外向き摩擦保持部と雄ネジ部に対して、前記外向き摩擦保持部に接触する内向き摩擦保持部と前記雄ネジ部のネジに螺合する雌ネジ部とを形成し、前記内向き摩擦保持部を前記外向き摩擦保持部に圧接させ前記雌ネジ部を雄ネジ部に螺合させた状態で、前記内向き摩擦保持部の前記外向き摩擦保持部に対する相対回転、及び、前記雌ネジ部の前記雄ネジ部に対する相対回転を、手指で摘んだ人為操作力では行わせることができない締まり嵌合状態に設定するとともに、前記内向き摩擦保持部と前記雌ネジ部とを加熱膨張状態に切り換えることによって、前記内向き摩擦保持部の前記外向き摩擦保持部に対する相対回転、及び、前記雌ネジ部の前記雄ネジ部に対する相対回転を、前記人為操作力で行うことができるように、前記摩擦保持部同士とネジ部同士での嵌合状態を設定してある点にあり、その作用効果は次の通りである。
【０００７】
〔作用〕
つまり、口栓と一番節とに摩擦保持部とネジ部とを形成することによって、摩擦保持部によって口栓が節の周方向に回転することを抑制でき、これによって、口栓が緩むことを抑制できる。そして、口栓が軸線方向に移動しようとしてもネジ部によって阻止できる。
しかも、摩擦保持部同士は口栓を一番節に装着した状態で締まり嵌合状態となるので、釣り人が手指で摘んで人為操作力を加えても口栓を一番節に対して回転させることはできないが、内向き摩擦保持部と雌ネジ部とをぬるま湯やドライヤ等で加熱して膨張状態に切り換えると、嵌合状態が緩むところから手指で摘んで取り外すことができる。
そして、このように、口栓を取外すには加熱処理する二次的操作が要求されるので、口栓が外れないように接着剤等で固定する必要はなく、特に、外れ防止のためのロック機構を備える必要がない。
【０００８】
〔効果〕
以上のように、摩擦保持部とネジ部とを形成することによって、互いの協働作用により、口栓の緩みと抜出しとを抑制でき、かつ、口栓を取り外してのメインテナンス作業を容易に行い得ることができた。
しかも、口栓を取外すには加熱処理する二次的操作を必要とする構成を採ったので、口栓を外れないようにするロック機構を必要としなくなり、口栓自体がロック機構を兼ねるところから、構造の簡素化を図ることができたのである。
【０００９】
請求項２に係る発明の特徴構成は、外周面に、元節の先端部を内嵌保持するための元節用嵌合部と、前記元節用嵌合部より節尻側に小径の基端部とを形成するとともに、内周面に、前記内向き摩擦保持部と前記雌ネジ部とを形成し、前記雌ネジ部を前記元節用嵌合部より軸芯方向において節尻側に形成してある点にあり、その作用効果は次の通りである。
【００１０】
〔作用効果〕
つまり、口栓に元節用嵌合部を設けてあるので、一番節から元節までの各節を収納状態にして元節を口栓に装着して玉の柄を収納状態に切り換えることができる。
この場合に、口栓に刻設されている雌ネジ部は、元節用嵌合部よりも節尻側に形成してあるので、元節用嵌合部の内周面側には雌ネジ部は形成されてないこととなる。このことは、雌ネジ部の形成によってその雌ネジ部の形成部位が剛性の低下を来たすこともあることから、例えば、元節用嵌合部に対応する位置に雌ネジ部を形成すると、元節用嵌合部も剛性の低下の影響を受けて、嵌合面の外径寸法が安定せず、元節を嵌合した際に嵌合状態に緩みを生ずることもある。
これに対して、前記したように、雌ネジ部は、元節用嵌合部よりも節尻側に形成してあるので、雌ネジ部を形成したことによる嵌合緩みを回避することができた。
【００１１】
請求項３に係る発明の特徴構成は、前記内向き摩擦保持部の内面径と外向き摩擦保持部の外面径を、締まり嵌め状態を現出するに必要な嵌合公差を持って形成してある点にあり、その作用効果は次の通りである。
【００１２】
〔作用効果〕
つまり、前記内向き摩擦保持部の前記外向き摩擦保持部に対する相対回転、及び、前記雌ネジ部の前記雄ネジ部に対する相対回転を、手指で摘んだ人為操作力では行わせることができない締まり嵌合状態に設定する構成として、内向き摩擦保持部の内面径と外向き摩擦保持部の外面径とを、締まり嵌め状態を現出する嵌合公差で行う構成を採用したので、口栓に対する製作精度のみで対処することができるに至った。
具体的には、その嵌合公差は、加熱膨張処理を施すと手指で摘んで回転操作が可能となる公差であるので、口栓を一番節に装着する際にも、加熱膨張処理を施して装着する。そうすると、常温で冷却される間に口栓は収縮し、一番節に圧着されることとなる。口栓を取外す際には、前記するように、加熱膨張処理を行えばよい。
【００１３】
請求項４に係る発明の特徴構成は、前記外向き摩擦保持部と前記内向き摩擦保持部とを、先端側程小径となるテーパ面に形成してある点にあり、その作用効果は次の通りである。
【００１４】
〔作用効果〕
つまり、摩擦保持面をテーパ面とすることができるので、保持面の面積を円筒面とする場合に比べて大きくでき、口栓を一番節に装着した状態での摩擦保持力を大きくできる。
【００１５】
請求項５に係る発明の特徴構成は、請求項１〜４のうちのいずれか一つに記載の口栓を取り付ける一番節、中節、元節を備えた点にあり、その作用効果は次の通りである。
【００１６】
〔作用効果〕
つまり、口栓を取り付けた状態では、一番節から口栓を外れ難い状態とすることができるので、玉の柄から玉網だけを取外す際に口栓の取扱いに苦慮することはなく、取り外し作業を容易に行えるものであり、かつ、玉の柄の全体を分解して水洗いする際には、容易に口栓を取り外すことができるので、分解作業に手間取ることはない。
【発明を実施するための最良の形態】
【００１７】
振出節式の玉の柄Ａについて説明する。
振出節式の玉の柄Ａは、図１に示すように、一番節１と、中節としての二番節２三番節３、元節４とを備えて、構成されている。一番節１には口栓５を装備し、元節４の節尻端には尻栓６が設けてある。
玉の柄Ａは、一番節１、二番節２、三番節３を元節４内に収納する収縮状態と一番節１、二番節２、三番節３を元節４より引き出した伸長状態とに切換可能に構成されている。
【００１８】
一番節１等の各節体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１９】
一番節１の先端には、魚を掬い取るタモ網Ｂが取付られる。その取り付け構造を説明する。図１及び図２に示すように、タモ網Ｂは、網本体７と枠体８とからなり、枠体８に一番節１への装着部８Ａが形成されている。装着部８Ａには雄ネジ軸８ａが突設されている。
一方、一番節１の先端内には取付用スリーブ９が嵌め込み固定してあり、その取付用スリーブ９の内周面に雌ネジ部９ａが形成されている。
以上のようなネジ部構造によって、図２（ハ）に示すように、タモ網Ｂの雄ネジ軸８ａを取付用スリーブ９の雌ネジ部９ａに螺合させると、タモ網Ｂを玉の柄Ａに取り付けることができる。
【００２０】
口栓５と一番節１との取り付け構造について説明する。図１及び図２に示すように、口栓５は、その外周面に、前端側から後端側に掛けて、大径摘まみ部５Ａと、中径元節用嵌合部５Ｂと、小径基端部５Ｃとを形成して構成されており、かつ、その内周面に、前端側から後端側に掛けて、小径の内向き摩擦保持部５Ｄと、大径の雌ネジ部５Ｅとを形成して構成されている。大径の雌ネジ部５Ｅは、中径元節用嵌合部５Ｂの後端から口栓５の後端開口に掛けて形成してあり、中径元節用嵌合部５Ｂに対応した位置には設けられてはいない。これによって、中径元節用嵌合部５Ｂにおける剛性の変化を抑制し、嵌合部５Ｂの外径寸法の変化を少なくでき、元節４の口栓５に対する嵌合状態を安定したものにできる。
【００２１】
大径摘まみ部５Ａには、ローレット加工が施してあり、摘まみ易い構造になっている。また、中径元節用嵌合部５Ｂには、節の軸線方向に沿った溝５ａが周方向に複数個設けてあり、元節４を内嵌合する際に、摩擦抵抗を軽減しながら、溝５ａを形成されていない平坦部分での密着性を良好なものにする構成としてある。このように、溝５ａの形成によって、寸法誤差等に起因して全周面を元節４の内周面に接触させる難しさを緩和する構成となっている。
口栓５はゴム製のものであり、アクリロニトリルーブタジエンゴム（ＮＢＲ）でできている。但し、このゴムに相当する硬度を有するものであれば、合成樹脂を材料とすることもできる。
【００２２】
一番節１には、図２（イ）に示すように、節先端から節尻側に向けて、小径の外向き摩擦保持部１Ａと大径の雄ネジ部１Ｂとが形成してあり、図２（ロ）に示すように、口栓５を一番節１に装着した状態で、外向き摩擦保持部１Ａが口栓５の内向き摩擦保持部５Ｄ内に嵌合圧接するとともに、雄ネジ部１Ｂが口栓５の雌ネジ部５Ｅに螺合して、装着状態を維持する構成となっている。
【００２３】
図２（ハ）に示すように、一番節１にタモ網Ｂを取り付けた際には、タモ網Ｂの装着部８Ａの側面８ｂを、口栓５の前面５ｄに当接させている。口栓５は前記したようにゴム製でありその弾性変形性により軸線方向に圧縮される。これによって、口栓５はタモ網Ｂと一番節１とに離間する方向の力を作用させるところから、タモ網Ｂ側のネジ軸８ａとスリーブ９との螺合状態を維持する機能を発揮することになる。
【００２４】
玉の柄Ａは振出節式のものであるので、各節体を伸長させた使用状態から各節体を短縮させた状態とに切り換えられるものであるが、第２図（ロ）に示すように収縮状態に設定すると、元節４の節先端開口が口栓５の中径元節用嵌合部５Ｂに外嵌し、その収縮状態を維持するようになっている。
【００２５】
請求項１に記載した、内向き摩擦保持部５Ｄを外向き摩擦保持部１Ａに圧接させ雌ネジ部５Ｅを雄ネジ部１Ｂに螺合させた状態で、内向き摩擦保持部５Ｄの外向き摩擦保持部１Ａに対する相対回転、及び、雌ネジ部５Ｅの雄ネジ部１Ｂに対する相対回転を、手指で摘んだ人為操作力では行わせることができない締まり嵌合状態に設定するとする点に関する具体的構成について説明する。
【００２６】
図２（イ）に示すように、内向き摩擦保持部５Ｄの内面径Ｄ1と外向き摩擦保持部１Ａの外面径Ｄ2とは、呼び径（整数部分）としては同一であるが、少数点以下の部分の数値において、若干に違いがあり、内向き摩擦保持部５Ｄの内面径Ｄ1よりは外向き摩擦保持部１Ａの外面径Ｄ2の方が大きく作られる。つまり、軸側の方が孔側より大きいのである。設計上の寸法をＪＩＳ規格表示で明記すると、例えば、孔側の寸法許容差をＨ７（ＪＩＳ規格表示）で設定すると、軸側の寸法許容差はｐ６（ＪＩＳ規格表示）等が採用される。
【００２７】
したがって、口栓５がゴム製であり、多少の弾性変形力が見込まれるので、上記した嵌合公差に相当する寸法だけ、内向き摩擦保持部５Ｄの内面径Ｄ1が拡大できれば、口栓５を一番節１の外向き摩擦保持部１Ａに嵌合させることは可能である。しかし、ゴムの弾性力だけでは外向き摩擦保持部１Ａの外面径Ｄ2まで拡大できないならば、ぬるま湯に口栓５を浸したり、ドライヤの熱をくわえて加熱膨張させることによって、内向き摩擦保持部５Ｄの内面径Ｄ1を外面径Ｄ2より拡大させる。その後、一番節１に装着する。装着し一定時間経過すると口栓５の内向き摩擦保持部５Ｄの内面径Ｄ1は冷却収縮して口栓５は元の内面径Ｄ1に戻ろうとする。そうすると、弾性収縮力で口栓５の内向き摩擦保持部５Ｄは外向き摩擦保持部１Ａに強く圧接し、前記した締まり嵌合状態を現出する。
【００２８】
一方、ネジ部同士の螺合構造については次ぎのような構造の違いを持たせる。
図２（イ）に示すように、口栓５の内周面に形成した雌ネジ部５ＥのネジピッチＰ1に対して一番節１の外周面に形成した雄ネジ部１ＢのネジピッチＰ2を異なるものとする。このように、ネジピッチＰ1、Ｐ2を異ならせる場合に具体的構造としては、ネジの呼び径は同一であるが、インチネジとメートルネジとのように、小数点以下の数値が僅かに異なるピッチのものを採用する。そうすると、口栓５の雌ネジ部５Ｅを一番節１の雄ネジ部１Ｂに螺合させた状態で、僅かなピッチの違いによって口栓５がきつく締まる状態で取り付けられることとなる。
【００２９】
ネジ部同士の螺合構造については次ぎのような構造の違いを持たせることもできる。図４に示すように、口栓５のネジ構造として、ネジピッチとしては一番節１の雄ネジ部１Ｂと同一に設定しながら、ネジ頂点を平坦面に加工した台形状のネジとし、かつ、ネジ高さを低くすることとする。このように口栓５の雌ネジ部５Ｅにネジ形状を台形状に形成することによって、口栓５における雌ネジ部５Ｅの溝幅Ｌ１は雄ネジ部１Ｂのネジ幅Ｌ２より小さなものとなる。これによって、両ネジ部５Ｅ、１Ｂが螺合すると、両ネジ部はきつく締まった螺合状態を呈することとなり、口栓５は通常の手指操作では外せなくなる。
【００３０】
以上のような構成を使用して取り付けた口栓５を取外す際には、ぬるま湯に口栓５を浸したり、ドライヤの熱をくわえて加熱膨張させることによって、内向き摩擦保持部５Ｄの内面径Ｄ1を外面径Ｄ2より拡大させる。その後、一番節１から取り外せばよい。
【００３１】
又、摩擦保持部５Ｄの構成としては、次ぎのようにもできる。図３に示すように、口栓５に形成された内向き摩擦保持部５Ｄは、前端開口側が小径で後端側程大径に形成されており、摩擦保持部５Ｄがテーパ面となっている。このことに対応して、一番節１に形成されている外向き摩擦保持部１Ａも節先側が小径で節尻側程大径となるテーパ面に形成されて、口栓５を一番節１に取り付けた状態で摩擦保持部１Ａ、５Ｄ同士が接触するように構成してある。
【００３２】
以上のような構成によって、口栓５を一番１節の先端に取り付ける際には、口栓５の後端開口５ｂから一番節１に外嵌させていくが、雌ネジ部５Ｅに対して一番節１の雄ネジ部１Ａが螺合されていく。一方、摩擦保持部１Ａ、５Ｄ同士は、テーパ面に形成されているので、ネジ部１Ａ、５Ｅ同士の螺合が進んでいく過程では摩擦保持部１Ａ、５Ｄ同士が接触することはない。
したがって、口栓５をネジ込んでいく際は、摩擦保持部１Ａ、５Ｄによって抵抗は発生しないので、容易にネジ込み操作が行える。
ネジ込みが完了すると、初めて、摩擦保持部１Ａ、５Ｄ同士が接触して摩擦保持力が発揮される。
このことによって、口栓５の取り付け取り外しが容易に行えながら、摩擦保持部１Ａ、５Ｄ同士の摩擦保持力によって、口栓５の緩み止め機能が発揮される。特に、摩擦保持部１Ａ、５Ｄ同士は、テーパ面に形成されているので、単なる円筒面のものに比べて接触面積を大きく採ることができ、摩擦保持力を大きくすることができる。
【００３３】
〔別実施の形態〕
（１）  口栓５の材質としては、ゴムに相当する熱膨張率を有するものであれば樹脂でもよい。
（２）  内向き摩擦保持部を前記外向き摩擦保持部に圧接させ前記雌ネジ部を雄ネジ部に螺合させた状態で、前記内向き摩擦保持部の前記外向き摩擦保持部に対する相対回転、及び、前記雌ネジ部の前記雄ネジ部に対する相対回転を、手指で摘んだ人為操作力では行わせることができない締まり嵌合状態に設定するについて、
（イ）  内向き摩擦保持部５Ｄの内面径Ｄ1と外向き摩擦保持部１Ａの外面径Ｄ2とを、嵌合公差を持って形成する。
（ロ）  口栓５の内周面に形成した雌ネジ部５ＥのネジピッチＰ1に対して一番節１の外周面に形成した雄ネジ部１ＢのネジピッチＰ2を異なるものとする。
（ハ）  口栓５のネジ構造として、ネジピッチとしては一番節１の雄ネジ部１Ｂと同一に設定しながら、ネジ頂点を平坦面に加工した台形状のネジとし、かつ、ネジ高さを低くすることとする。このように口栓５の雌ネジ部５Ｅにネジ形状を台形状に形成することによって、口栓５における雌ネジ部５Ｅの溝幅Ｌ１は雄ネジ部１Ｂのネジ幅Ｌ２より小さなものとなる。
とする方策を提案したが、実際の採用に当っては、少なくとも（イ）を採用すればよい。
【図面の簡単な説明】
【００３４】
【図１】玉の柄とタモ網とを示す斜視図
【図２】口栓と一番節と元節とを示し、（イ）は、口栓を一番節に取り付ける前の状態を示す縦断側面図、（ロ）は、口栓を一番節に取り付けた状態を示す縦断側面図、（ハ）は、タモ網を一番節に取り付けた状態を示す縦断側面図、
【図３】口栓の別実施構造を示す縦断側面図
【図４】口栓の雌ネジ部５Ｅと一番節の雄ネジ部の別実施構造を示す縦断側面図
【符号の説明】
【００３５】
１              一番節
１Ａ            摩擦保持部
１Ｂ            雄ネジ部
５              口栓
５Ｄ            摩擦保持部
５Ｅ            雌ネジ部
Ａ              玉の柄
【図１】
2007053949.tif 000003
【図２】
2007053949.tif 000004
【図３】
2007053949.tif 000005
【図４】
2007053949.tif 000006